(57)【特許請求の範囲】
【請求項１】
固定ガイドを取り付けている元上竿とリールシートを取り付けている元竿とを備えた振出竿であって、
前記固定ガイドを、前記元上竿表面に装着される板状の脚部と、前記脚部から外方に向けて突設される支持フレーム部と、前記支持フレーム部に取り付けられている釣り糸挿通用のガイド枠部とで構成し、前記元上竿における前記脚部が載置された部位より竿尻側に取付座を形成するとともに、前記取付座にリング状ストッパ体を着脱自在に取り付けるべく構成し、前記リング状ストッパ体の外径を前記元竿の竿先側開口端の内径より大径に形成し、
前記取付座の竿先側と竿尻側とに鍔部を形成するとともに、前記竿尻側鍔部の外径を、前記元竿の竿先側開口の内径より小径に形成している振出竿。
【請求項２】
前記リング状ストッパ体のリング状を呈する本体の一部に切欠き部を形成して内径を拡大可能に構成し、前記取付座に対して前記リング状ストッパ体を着脱自在に構成してある請求項１記載の振出竿。
【請求項３】
前記リング状ストッパ体の断面形状を、竿先側端面から中間部に向けて穏やかに外径を拡大する半円弧状に形成するとともに前記中間部より竿尻側端面に向けて穏やかに縮径する半円弧状に形成して、竿先側端面から竿尻側端面に掛けて全体として山形形状に形成してある請求項１又は２に記載の振出竿。
【請求項４】
前記リング状ストッパ体を樹脂で形成してある請求項１〜３のうちのいずれか一項に記載の振出竿。
【請求項５】
前記取付座を、金属製の取付具として形成し、前記取付具の竿先側と竿尻側とに鍔部を形成するとともに、竿先側鍔部と竿尻側鍔部との間に、前記リング状ストッパ体を嵌め込み装着する嵌装着座部を形成し、前記鍔部の外径を、前記脚部を前記元上竿表面に取付固定している取付糸の外周面径より大径に形成している請求項１〜４の内のいずれか一項に記載の振出竿。
【請求項６】
前記取付座をプリプレグで形成し、竿先側と竿尻側とに鍔部を形成するとともに、竿先側鍔部と竿尻側鍔部との間に、前記リング状ストッパ体を嵌め込み装着する嵌装着座部を形成し、前記鍔部の外径を、前記脚部を前記元上竿表面に取付固定している取付糸の外周面径より大径に形成している請求項１〜４の内のいずれか一項に記載の振出竿。
【発明の詳細な説明】
【技術分野】
【０００１】
本発明は、投げ竿として使用される振出竿であって、固定ガイドを取り付けている元上竿とリールシートを取り付けている元竿とを備えた振出竿に関する。
【背景技術】
【０００２】
投げ竿用の釣り糸ガイドとして構成されるものに次のようなものがある。
釣り糸ガイドとしては、並継竿用であれ、振出竿用であれ、かつ又、移動ガイドであれ、固定ガイドであれ、何れの形態を採る釣り糸ガイドも、釣り竿の外周面に外篏される筒ボス状の脚部と、その脚部から外方に向けて突設される支持フレーム部と前記支持フレーム部に取り付けられている釣り糸挿通用のガイド枠部とで構成してあった。
そして、移動ガイドであれば、筒ボス状の脚部を釣り竿に外嵌して移動自在に、また、固定ガイドであれば、筒ボス状の脚部を釣り竿に外嵌固定して移動不能に装着していた。
【０００３】
しかし、上記構成の釣り糸ガイドでは、投げ竿として使用する場合に、仕掛けとともに投げ操作される釣り糸と釣り糸挿通用のガイド枠部との摩擦抵抗が高く、釣り人が目標とするポイントに正確に投げ入れることが困難なことがあった。
また、脚部として筒状ボス部が釣り竿に外嵌してあるので、その嵌合部分で竿自体の弾性が抑制されることになり、仕掛けを投げ入れる際の釣り竿全体のシナリが少なく、十分な仕掛けの飛距離を稼げないという課題もあった（特許文献１）。
【先行技術文献】
【特許文献】
【０００４】
【特許文献１】特開２００６−１９１８３３号公報（図１）
【発明の概要】
【発明が解決しようとする課題】
【０００５】
そこで、特許文献１における第５図に示されているように、並継竿に使用されている、釣り糸ガイドを使用することが考えられた。
つまり、第５図に示すように、この釣り糸ガイドは、釣り竿の外周面に載置され取付用の糸を巻いて固定される板状の脚部と、その脚部から外方竿先側に向けて突設される支持フレーム部と前記支持フレーム部に取り付けられている釣り糸挿通用のガイド枠部とで構成してあった。
このことによって、前記した欠点については解消されたのであるが、別の課題が生じた。
【０００６】
つまり、釣りを終えて振出竿内の水抜きをしようとする場合に、尻栓を外して振出竿を上下向き姿勢にすると元上竿が元竿の竿尻端側に移動することとなって、元上竿の竿先端に取付固定してある釣り糸用ガイドの支持フレーム部か又は釣り糸挿通用のガイド枠部が、元竿の竿先端側開口端（玉口）に当接して、釣り糸用ガイドを痛めるということがある。
一方、前記した筒ボス状脚部を備えた振出竿用ガイドでは、上記した水抜き作業時に、その筒ボス状脚部が元竿の竿先端側開口端に当接するとしても、脚部が筒ボス状のものであるので、左程、釣り用ガイドが影響を受けることは少なかった。
【０００７】
本発明の目的は、投げ釣りを十分に楽しみながら、釣りを終えて振出竿から水抜きをする場合に、釣り糸ガイドを傷めることのない振出竿を提供する点にある。
【課題を解決するための手段】
【０００８】
〔構成〕
請求項１に係る発明の特徴構成は、元上竿に固定ガイドを備えるとともに、前記固定ガイドを、前記元上竿表面に装着される板状の脚部と、前記脚部から外方に向けて突設される支持フレーム部と、前記支持フレーム部に取り付けられている釣り糸挿通用のガイド枠部とで構成し、前記元上竿における前記脚部が載置された部位より竿尻側に取付座を形成するとともに、前記取付座にリング状ストッパ体を着脱自在に取り付けるべく構成し、前記リング状ストッパ体の外径を前記元竿の竿先側開口端の内径より大径に形成し、前記取付座の竿先側と竿尻側とに鍔部を形成するとともに、前記竿尻側鍔部の外径を、前記元竿の竿先側開口の内径より小径に形成している点にあり、その作用効果は次の通りである。
【０００９】
〔作用〕
つまり、振出竿形式を維持するものでありながら、元上竿に使用する釣り糸ガイドとしては、前記元上竿表面に装着される板状の脚部と脚部から外方に向けて突設される支持フレーム部と前記支持フレーム部に取り付けられている釣り糸挿通用のガイド枠部とで構成した前記固定ガイドを採用した。
そして、その固定ガイドの欠点を解消する為に、前記元上竿における前記脚部が載置された部位より竿尻側に取付座を形成するとともに、前記取付座にリング状ストッパ体を着脱自在に取り付けるべく構成した。
【００１０】
このことによって、釣竿を仕舞って移動等する場合、元竿に元上竿等の中竿を仕舞い込む場合にも、元竿の玉口部が固定ガイド支持フレームに当たって損傷することがなく、また釣りを終えて振出竿を水抜き水洗いする場合に、尻栓を外しても、リング状ストッパ体が釣り糸ガイドに先行して元竿の竿先側端面に当接するので、釣り糸ガイドが元竿に接触することはなく、釣り糸ガイド自身が損傷することはない。
【００１１】
一方、前記したリング状ストッパ体は、釣りを終えて水抜き水洗いする際に釣り糸ガイドが元竿の竿先側端面に当接することを阻止出来れば十分であるので、通常の釣り操作時は取り外しておくことができる。
このように取り外すことによって、仕掛けを投げ操作する際に、元竿の竿先側開口端の内径より大径に設定されているリング状ストッパ体の外径面が仕掛けとともに投げ操作される釣り糸に接触することを回避でき、仕掛けの飛距離を十分に確保できる。
【００１２】
〔効果〕
したがって、釣り竿を仕舞い操作する水抜き水洗い時の釣り糸ガイドの損傷といったものを未然に防ぐことができるとともに、仕掛けの投げ入れ時には邪魔にならず、目標のポイントに容易に仕掛けを投げ入れることができる振出竿を提供できるに至った。
【００１３】
〔構成〕
請求項２に係る発明の特徴構成は、前記リング状ストッパ体のリング状を呈する本体の一部に切欠き部を形成して内径を拡大可能に構成し、前記取付座に対して前記リング状ストッパ体を着脱自在に構成してある点にあり、その作用効果は次の通りである。
【００１４】
〔作用効果〕
前記リング状ストッパ体を取付座から外したり、その取付座に取り付けたりする場合には、切欠き部を少し広げる操作を加えることによって、リング状ストッパ体を緩め操作することができ、着脱操作が可能である。
【００１５】
〔構成〕
請求項３に係る発明の特徴構成は、前記リング状ストッパ体の断面形状を、竿先側端面から中間部に向けて穏やかに外径を拡大する半円弧状に形成するとともに前記中間部より竿尻側端面に向けて穏やかに縮径する半円弧状に形成して、竿先側端面から竿尻側端面に掛けて全体として山形形状に形成してある点にあり、その作用効果は次の通りである。
【００１６】
〔作用効果〕
このように、リング状ストッパ体の断面形状が、穏やかに山形形状を呈するものであるので、仕掛けとともに投げられた釣り糸がリング状ストッパ体の外周面に接触しても引っ掛かることがなく、飛距離に影響しない。
したがって、通常は釣り時にはリング状ストッパ体を取り外すこととなるが、敢えて装着し続けていても、仕掛けの投げ操作に対する影響は少ない。
【００１７】
〔構成〕
請求項４に係る発明の特徴構成は、前記リング状ストッパ体を樹脂で形成してある点にあり、その作用効果は次の通りである。
【００１８】
〔作用効果〕
天然ゴムや合成ゴムでリング状ストッパ体を形成した場合に比べて、吸湿性が低いので寸法変化が少なく、取付座への取付状態が安定するとともに、接触抵抗が少なく釣り糸と接触しても抵抗と成り難く、仕掛けの飛距離等に与える影響は少ない。
樹脂としては、ＡＢＳ樹脂、ナイロン樹脂、ＰＯＭなどから選択できる。
例えば、ＰＯＭであれば、ポリプラスチック社の商品名ジュラコン、又はデユポン社の商品名デルリンを採用する。
【００１９】
〔構成〕
請求項５に係る発明の特徴構成は、前記取付座を、金属製の取付具として形成し、前記取付具の竿先側と竿尻側とに鍔部を形成するとともに、竿先側鍔部と竿尻側鍔部との間に、前記リング状ストッパ体を嵌め込み装着する嵌装着座部を形成し、前記鍔部の外径を、前記脚部を前記元上竿表面に取付固定している取付糸の外周面径より大径に形成している点にあり、その作用効果は次の通りである。
【００２０】
〔作用効果〕
取付座を金属で形成することによって、投げだされた釣り糸との接触抵抗を小さくできる。
しかも、竿先側鍔部と竿尻側鍔部とでリング状ストッパ体を両側より挟み込み保持できるので、安定して保持できる。
【００２１】
〔構成〕
請求項６に係る発明の特徴構成は、前記取付座をプリプレグで形成し、竿先側と竿尻側とに鍔部を形成するとともに、竿先側鍔部と竿尻側鍔部との間に、前記リング状ストッパ体を嵌め込み装着する嵌装着座部を形成し、前記鍔部の外径を、前記脚部を前記元上竿表面に取付固定している取付糸の外周面径より大径に形成している点にあり、その作用効果は次の通りである。
【００２２】
〔作用効果〕
取付座をプリプレグで形成することによって、釣り竿と同じ材質で製造することができ、釣り竿制作時に同時に制作でき、かつ、釣り竿と取付座との馴染みもよく、取付状態が安定する。
【図面の簡単な説明】
【００２３】
【図１】図１は、投げ釣り用の振出竿を示す側面図である。
【図２】図２は、投げ釣り用の振出竿の分解側面図である。
【図３】図３は、（ａ）リング状ストッパ体を取付座に装着した状態を示す斜視図と、（ｂ）Ｉ-Ｉ縦断側面図である。
【図４】図４は、（ａ）リング状ストッパ体が元竿の竿先側開口端から離間している状態を示す縦断側面図、（ｂ）リング状ストッパ体が元竿の竿先側開口端に当接している状態を示す縦断側面図である。
【図５】図５はリング状ストッパ体を示し、（ａ）側面図、（ｂ）ＩＩ-ＩＩ縦断正面図、（ｃ）底面図である。
【図６】図６は取付座（取付具）を示し、（ａ）側面図、（ｂ）縦断正面図である。
【図７】図７は元上竿における固定ガイド及ぶ取付座を固定するための取付シート構成についての説明図である。
【図８】図８はリング状ストッパ体の別実施形態を示し、（ａ）側面図、（ｂ）側面図である。
【図９】図９はリング状ストッパ体の別実施形態を示し、（ａ）側面図、（ｂ）側面図である。
【発明を実施するための形態】
【００２４】
本願発明は、投げ釣りを十分に楽しみながら、釣りを終えて振出竿を水抜き水洗いする場合に、尻栓を外して釣り竿を上下方向に切り替えても、釣り用ガイドを傷めることのない振出竿を提供することを目的として、元上竿に固定ガイドを備えるとともに、前記固定ガイドを前記元上竿表面に装着される脚部と脚部から外方に向けて突設される支持フレーム部と前記支持フレーム部に取り付けられている釣り糸挿通用のガイド枠部とで構成し、前記元上竿における前記脚部が載置された部位より竿尻側に取付座を形成するとともに、前記取付座にリング状ストッパ体を着脱自在に取り付けるべく構成し、前記リング状ストッパ体の外径を前記元竿の竿先側開口端の内径より大径に形成し、元上竿に取付固定された固定ガイドが損傷するのを防止しながら、仕掛けの投入時には、出来るだけリング状ストッパ体と釣り糸との接触を回避できるものを提供する点にある。
【００２５】
〔第１実施形態〕
図１、２に示すように、投げ釣り用の振出竿Ａは、穂先竿１、二番竿２、三番竿（元上竿）３、元竿４で構成されている。穂先竿１には、穂先端にトップガイド１Ａが固定してあり、中間位置に３個の移動ガイド１Ｂが装着してある。二番竿２にも、竿先端に固定ガイド２Ａと１個の移動ガイド２Ｂが装着してある。元上竿３には竿先端に固定ガイド３Ａだけが装着してある。元竿４には、中間位置にリールシート５が取り付けてあり、スピニングリール６等を装着するようになっている。竿尻端には、やや大径の握り部４Ａが形成してあり、投げ釣り操作時に、振り操作される釣り竿の姿勢を安定させるように、補助の手がシッカリ握ることができるように形成してある。
【００２６】
釣り竿Ａを構成する穂先竿１等は次のように製作される。つまり、炭素繊維等の強化繊維ｃを一方向に引き揃え、その引き揃え強化繊維群にエポキシ樹脂等の熱硬化性樹脂（又は熱可塑性樹脂）を含浸させて、プリプレグシートを形成する。このプリプレグシートを略台形状に裁断した複数のものをマンドレルに巻回し、複数のプリプレグシートを巻回して構成した竿素材をマンドレルに巻回した状態で炉に入れて焼成し、焼成後マンドレルを脱芯して円筒状の竿素材を取り出しその竿素材を所定長に裁断して、仕上加工を施し竿体とする。
【００２７】
プリプレグを構成する強化繊維ｃとしては、具体的には、炭素繊維以外にガラス繊維、アラミド繊維、アルミナ繊維等が使用でき、樹脂としては、エポキシ樹脂の他に、フェノール樹脂、ポリエステル樹脂等の熱硬化性樹脂やＰＶ（Ｅ）等の熱可塑性樹脂が使用できる。また、プリプレグとしては、強化繊維を編み込んだ織り物に樹脂を含浸させて構成したものであってもよい。
【００２８】
元上竿３に取り付けられる部品について説明する。図１、２に示すように、固定ガイド３Ａは、前記元上竿表面に装着される板状の脚部３aと脚部３aから外方に向けて突設される支持フレーム部３ｂと前記支持フレーム部３ｂに取り付けられている釣り糸挿通用のガイド枠部３ｃとで構成してある。
【００２９】
板状の脚部３aは、竿先側と竿尻側との二か所に離れて載置され、元上竿３の円弧状表面に沿うように、やや円弧状を呈している。二つの板状脚部３a、３aは、取付糸ａによって元上竿３に固定されている。
釣り糸挿通用のガイド枠部３ｃは、両板状脚部３a、３aの中間位置上方に位置しやや斜め前方に向けて傾斜する姿勢にあり、中心位置に円形の釣り糸挿通孔を形成してあり、釣り糸挿通孔の内側縁に硬質のガイドリング３ｄが装着してある。
支持フレーム部３ｂは、竿先側板状脚部３aから後方上方に立ち上げ釣り糸挿通用のガイド枠部３ｃの下端を支持する単一の前支持フレーム部３ｂaと、竿尻側板状脚部３aから前方上方に立ち上げ釣り糸挿通用のガイド枠部３ｃの左右端を支持する左右一対の後支持フレーム部３ｂｂとでなる。
この固定ガイド３Ａは、チタンやアルミ等の金属材料で作られている。
【００３０】
元上竿３における脚部３aが載置された部位より竿尻側に取付座７を形成するとともに、取付座７にリング状ストッパ体８を装着できるように構成する。
取付座７は、ステンレス製の部品であり、釣り竿Ａとは別個に形成されて、元上竿３の所定位置に嵌着されて、接着剤を使用して固定される。
【００３１】
図１、２、及び図６に示すように、取付座７は、ステンレス製の長尺筒状の取付具として形成してあり、取付具における竿先側と竿尻側とに大径の鍔部７Ａ、７Ｂを形成するとともに、竿先側鍔部７Ａと竿尻側鍔部７Ｂとの間に、リング状ストッパ体８を嵌め込み装着する嵌装着座部７Ｃを形成してある。
材料としてステンレスを使用しているが、チタン等を使用してもよい。
【００３２】
竿先側鍔部７Ａと竿尻側鍔部７Ｂにおける嵌装着座部７Ｃを挟んで向かい合う面７a、７ｂは、略軸線Ｘに直交する垂直面となっているのに対して、竿先側鍔部７Ａの頂点から更に竿先側端面７eに向けて穏やかに傾斜して縮径する傾斜面７ｃとなっている一方、竿尻側鍔部７Ｂの頂点から更に竿尻側端面７ｆに向けて穏やかに傾斜して縮径する傾斜面７ｄとなっている。
また、竿先側鍔部７Ａの頂点及び竿尻側鍔部７Ｂの頂点においては、先鋭な角を形成するのではなく、丸みを帯びた円弧面の面取り７ｅが行われている。
【００３３】
以上のように、取付具７はステンレス製であるが、竿先側鍔部７Ａの頂点及び竿尻側鍔部７Ｂの頂点や、竿先側端から更に竿先側鍔部７Ａの頂点に向う傾斜面７ｃや、竿尻側鍔部７Ｂの頂点から更に竿尻側端に向う傾斜面７ｄは、円滑な面形状に仕上げ形成されており、投げ操作された釣り糸が接触しても、大きな移動抵抗とならないように形成してある。
【００３４】
次に、樹脂製のリング状ストッパ体８について説明する。図５に示すように、リング状ストッパ体８は、樹脂であるジュラコンを使用して作られており、表面自体が円滑性に富むものである。
ただし、リング状ストッパ体８としては、他の樹脂を使用することができる。
つまり、他の樹脂としては、前記したように、ＡＢＳ樹脂、ナイロン樹脂、ＰＯＭを選択できる。
例えば、ＰＯＭならば、ポリプラステック社の商品名ジュラコン、又は、デユポン社の商品名デルリンを採用する。
この材料をリング状に成形してある。中心に装着用の孔８Ａを形成し、その孔８Ａを囲むリング状本体８Ｂの断面は、竿先側端面８aから中間部８ｂに向けて穏やかに外径を拡大する半円弧状に形成するとともに前記中間部８ｂより竿尻側端面８ｃに向けて穏やかに縮径する半円弧状に形成して、竿先側端面から竿尻側端面に掛けて全体として山形形状に形成してある。竿先側端面８aと竿尻側端面８ｃは、僅かに、軸線Ｙに直交する直線状の端面に形成してある。また、中間部８ｂは、軸線Ｙに平行な或る幅を持った直線状の端面に形成してある。
【００３５】
このような構成に加えて、更に、リング状本体８Ｂの円周方向一か所には、略円周角度で略９０度に達する切欠き部８Ｃが設けてある。この切欠き部８Ｃの存在によって、リング状本体部８Ｂが中心の装着用の孔８Ａを拡縮径することができて、取付具７への装着を容易にしている。
【００３６】
図５（ａ）に示すように、切欠き部８Ｃの左右端よりリング状本体８Ｂの開口端面には、直線上で外側に向けてやや傾斜する平坦傾斜面８ｄが形成してあり、リング状ストッパ体８を取付具７に装着した状態で、切欠き部８Ｃの左右端面が釣り糸と接触しないように形成してある。また、前記傾斜面８ｄの互いに向き合う端面には、軸心Ｙに向けて内側に切れ込む切込み面８ｅが形成してあり、このことによって、リング状ストッパ体８を取付具７に取付た状態で切込み面８ｅが取付具７より突出しない。
【００３７】
以上のような構成になるリング状ストッパ体８を取付具７に装着した状態で、リング状本体８Ｂの中間部８ｂの外径Ｄは、元竿４の竿先側開口端４ａの内径ｄより大径に形成してある。一方、取付具７の鍔部７Ａ、７Ｂの外径Ｄ１は元竿４の竿先側開口端４ａの内径ｄより小径である。
【００３８】
これによって、図４（ｂ）に示すように、リング状ストッパ体８を取付具７に取付た状態で、釣りを終えて振出竿を水抜き水洗いする場合に、尻栓を外しても、取付具７の元竿側の一部は、元竿４内に入り込んでしまうが、リング状ストッパ体８が、釣り糸ガイドに先行して元竿４の竿先側開口端４aの端面に当接するので、固定ガイド３Ａが元竿４に接触することはなく、固定ガイド自身が損傷することはない。
【００３９】
次に、固定ガイド３Ａ、取付具７、リング状ストッパ体８と元上竿３の竿面の繋がりについて説明する。図４に示すように、固定ガイド３Ａの板状脚部３aを固定している取付糸ａの外周面径に対して取付具７の竿先側端面７eの外径Ｄ１は大径に形成されている。
また、リング状ストッパ体８の竿先側端面８aから中間部８ｂに向けて穏やかに外径を拡大する半円弧状に形成された外周面は、取付具７に装着された状態で、取付具７の竿先側端から更に竿先側鍔部７Ａの頂点に向う傾斜面７ｃに滑らかに繋がり、かつ、リング状ストッパ体８の中間部８ｂから竿尻側端面８ｃに向けて穏やかに外径を縮小する半円弧状に形成され外周面は、取付具７の竿尻側鍔部７Ｂの頂点から更に竿尻側端に向う傾斜面７ｄに滑らかに繋がっている。
【００４０】
以上のような構成に加えて、取付具７を装着している元上竿３における竿尻側の外周面３Ｂにおいては、取付具７の竿尻側端面７ｆの外径と略同一の外径を呈しており、その同一の外径部より竿尻側に向けて、穏やかに縮径するものに形成されている。
このように、固定ガイド３Ａ、取付具７、リング状ストッパ体８と元上竿３の竿面は、段差なく繋がるように配置構成されているので、釣り糸が接触しても、大きな移動抵抗と成らないような構成となっている。
【００４１】
しかも、取付具７の鍔部７Ａ、７Ｂの外径Ｄ１は固定ガイド３Ａの脚部３aを固定している取付糸ａの外周面径より大径であるので、投げ操作に伴って移動する釣り糸もこの鍔部７Ａ、７Ｂに遮られて、脚部３ａに巻き付けられた取付糸ａの部分に接触することが抑制されている。
【００４２】
また、リング状ストッパ体８の取付形態として、切欠き部８Ｃ部分を元上竿３の固定ガイド３Ａにおける脚部３ａの竿尻側に位置するように装着する場合には、次のようなことが言える。つまり、脚部３ａに巻回されている取付糸ａの外径とリング状ストッパ体８の装着部分が段差の少ない連続状態となり、投げ出される釣り糸が接触しても抵抗を及ぼすことが少なくなる。
【００４３】
固定ガイド３Ａ及び取付具７を取付けている元上竿３について説明する。図７に示すように、元上竿３を構成するプリプレグシートとしては、炭素繊維等の強化繊維ｃがクロスする状態に編みこまれたものであり、これによって、固定ガイド３Ａ及び取付具７の取付部位の変形に対する抵抗が大きくなっている。
そのために、元上竿３の竿先側開口端の開口形状が崩れにくく、振出竿として、二番竿２を元上竿３より引き出した状態で、二番竿２の竿尻側端部の外周面が元上竿３の竿先側端部の内周面にキッチリと内接して、二番竿２の伸長状態が安定して維持される。
【００４４】
しかも、元上竿３の竿先側開口端の開口形状が安定することによって、取付具７を元上竿３に取付固定する場合にも、取付具７の内周面が元上竿３の竿先側端部の外周面に密着するので、取付具７の取付状態も安定したものとなり、それに装着されるリング状ストッパ体８の装着状態が安定し、元竿４の竿先側開口端に当接した場合にも、確実に当接して十分ストッパ機能を発揮する。
【００４５】
〔別実施形態〕
（１）リング状ストッパ体８としては、次のような構成を採るものでもよい。図８（ａ）（ｂ）に示すように、リング状本体８Ｂの周方向一か所に切込み８ｆを形成し、装着用の孔８Ａが拡径するように構成してもよい。このような構成を採ることによって、リング状ストッパ体８を元上竿３に対して着脱自在なものにできる。
この場合の材料としては、合成ゴム等を使用することも可能である。
【００４６】
（２）リング状ストッパ体８としては、次のような構成を採るものでもよい。図９（ａ）（ｂ）に示すように、リング状本体８Ｂの周方向一か所に鍵状の切離し部８ｇを形成し、装着用の孔８Ａが拡径するように構成してもよい。このような構成を採ることによって、リング状ストッパ体８を元上竿３に対して着脱自在なものにできる。
この場合の材料としては、合成ゴム等を使用することも可能である。
【００４７】
（３）取付座７として、プリプレグで作成する形態について説明する。取付具７としては、図６に示す形態のものを、型に嵌めて成形し、その成形品を元上竿３に接着固定する方法か、元上竿３の所定位置に型を装着し、その型内にプリプレグを配置して、元上竿３に一体成型する方法とが採れる。
（４）本発明は固定ガイドのみならず、移動ガイドの竿にも利用できることは当業者にとって自明であろう。
【産業上の利用可能性】
【００４８】
本願発明は、投げ竿において、振出竿と並継竿用釣り糸ガイドを融合させたものであり、投げ竿として、仕掛けの投入操作を容易にする釣り竿である。
【符号の説明】
【００４９】
１            穂先竿
１Ｂ          移動ガイド
３            元上竿
３Ａ          固定ガイド
３a            脚部
３ｂ          支持フレーム部
３ｃ          ガイド枠部
４            元竿
４ａ          竿先側開口端
５            リールシート
７            取付座（取付具）
７Ａ          竿先側鍔部
７Ｂ          竿尻側鍔部
７Ｃ          嵌装着座部
８            リング状ストッパ体
８Ｂ          ストッパ本体
８Ｃ          切欠き部
８ａ          竿先側端面
８ｂ          中間部
８ｃ          竿尻側端面
Ｄ            リング状ストッパ体の外径
ｄ            元竿の竿先側開口端の内径
【図１】
0005950640.tif 000002
【図２】
0005950640.tif 000003
【図３】
0005950640.tif 000004
【図４】
0005950640.tif 000005
【図５】
0005950640.tif 000006
【図６】
0005950640.tif 000007
【図７】
0005950640.tif 000008
【図８】
0005950640.tif 000009
【図９】
0005950640.tif 000010